(57)【要約】      （修正有）【課題】排水可能な無線充電装置を提供する。【解決手段】充電発信ユニット１２と充電受信ユニット２３とを備える。充電発信ユニット１２は防水できるように第１連結部材１に設けられ、充電受信ユニット２３は防水できるように第２連結部材２に設けられる。第１連結部材及び第２連結部材は互いに挿着できる挿入部１１及びスロット２１を備える。スロットには、充電発信ユニット或いは充電受信ユニットに対応する第１密着面１３が設けられ、挿入部には、充電発信ユニット或いは充電受信ユニットに対応する第２密着面２４が設けられる。第１連結部材と第２連結部材とが、挿入部がスロットに挿入するように連結され、且つ第１密着面が第２密着面に密接し、第１密着面と第２密着面との間から水を排除させる。【選択図】図１
0003214961.tif 000002
【実用新案登録請求の範囲】
【請求項１】
排水可能な無線充電装置であって、
充電発信ユニットと充電受信ユニットとを備え
前記充電発信ユニットは、電気的なエネルギーを電磁波に変換して発信させ、前記充電発信ユニットが防水できるように第１連結部材に設けられ、
前記充電受信ユニットは、電磁波を受信して電気的なエネルギーを変換して貯蔵させ、前記充電受信ユニットが防水できるように第２連結部材に設けられ、
前記第１連結部材と前記第２連結部材の一方にスロットが設けられ、他方に挿入部が設けられる；前記スロットに外部と連通する排水孔が設けられ、且つ前記スロットは、於前記スロットが属する前記第１連結部材或いは前記第２連結部材に、前記充電発信ユニット或いは前記充電受信ユニットに対応する第１密着面を有し、前記挿入部は、前記挿入部が属する前記第１連結部材或いは前記第２連結部材に、前記充電発信ユニット或いは前記充電受信ユニットに対応する第２密着面を有し、前記第１連結部材と前記第２連結部材とが、前記挿入部が前記スロットに挿入するように連結され、且つ前記第１密着面が前記第２密着面に密接し、前記第１密着面と前記第２密着面との間から水を排除させる。
【請求項２】
前記充電発信ユニットは、電池、及び電磁波発信器を備え、且つ着脱可能な防水ケースで包装され、
前記ケースが開かられ、前記電池が交換できること、を特徴とする請求項１に記載の排水可能な無線充電装置。
【請求項３】
前記充電発信ユニットは、電池、及び電磁波発信器を備え、且つ脱着不可能な防水ケースで包装され、
前記充電発信ユニットは、前記電池と電気的に接続する電磁波受信機を更に備え、電磁波を受信し、電気的なエネルギーを変換して前記電池に貯蔵させること、を特徴とする請求項１に記載の排水可能な無線充電装置。
【請求項４】
前記第２連結部材は、電気的な駆動による発熱可能な潜水服に設けられ、前記充電受信ユニットが前記潜水服と電気的に接続されて電力を供給すること、を特徴とする請求項２又は３に記載の排水可能な無線充電装置。
【請求項５】
前記第２連結部材は、電気的に駆動可能な水中探照灯に設けられ、前記充電受信ユニットが前記水中探照灯と電気的に接続されて電力を供給すること、を特徴とする請求項２又は３に記載の排水可能な無線充電装置。
【請求項６】
前記第２連結部材は、電気的に駆動可能な水中カメラに設けられ、前記充電受信ユニットが前記水中カメラと電気的に接続されて電力を供給すること、を特徴とする請求項２又は３に記載の排水可能な無線充電装置。
【請求項７】
前記第２連結部材は、電気的に駆動可能な水中推進器に設けられ、前記充電受信ユニットが前記水中推進器と電気的に接続されて電力を供給すること、を特徴とする請求項２又は３に記載の排水可能な無線充電装置。
【考案の詳細な説明】
【技術分野】
【０００１】
本考案は充電装置に関し、特に水中環境に使われる無線充電装置に関する。
【背景技術】
【０００２】
水中作業では、作業の必要に応じて各種の電子機器を使用することがある。例えば探照灯、カメラ及び推進器などを使用する場合に、場所による不便があり、前記の機械を電源に接続できないため、電池を介して電力を供給しなければならない。しかしながら電池の容量が有限であり、一定の時間使用された後で充電しないと、連続的に使用することができない。なお、水中環境では、有線による接続方式による充電が難しくなり、無線式で充電する方が好ましい。
【０００３】
上記の無線による充電方式において、充電供給源及び電気機器にそれぞれ発信端末と受信端末とが設けられ、両者が互いに接続される必要がなく、且つ一定の距離の間隔にしても、前記充電供給源が前記発信端末を介して電磁波を発信し、前記電気機器が前記受信端末を介して電磁波を受信して電気的なエネルギーに変換し、前記電気機器の電池に充電できる。しかし、水中環境において、前記発信端末と前記受信端末との間に水が存在しており、電磁波の伝播に阻害が生じ、充電の効率が低減し、水中作業での要求には応えられない。
【考案の概要】
【考案が解決しようとする課題】
【０００４】
本考案の目的は、排水可能な無線充電装置を提供することであり、水中環境において充電を行う時に、電磁波の送信端と受信端との間の水を排水することができ、水による電磁波伝播の阻害を低減し、充電効率を更に向上させることができる。
【課題を解決するための手段】
【０００５】
前述した目的を達成するため、本考案は排水可能な無線充電装置を提供し、前記排水可能な無線充電装置は、充電発信ユニットと充電受信ユニットとを備え、前記充電発信ユニットは、電気的なエネルギーを電磁波に変換して発信させ、前記充電発信ユニットが防水できるように第１連結部材に設けられ、前記充電受信ユニットは、電磁波を受信して電気的なエネルギーに変換して貯蔵し、前記充電受信ユニットが防水できるように第２連結部材に設けられ、前記第１連結部材と前記第２連結部材の一方にスロットが設けられ、他方に挿入部が設けられる。前記スロットには、外部に連通する排水孔が設けられ、且つ前記スロットは、前記スロットが属する前記第１連結部材或いは前記第２連結部材に、前記充電発信ユニット或いは前記充電受信ユニットに対応する第１密着面を有し、前記挿入部は、前記挿入部が属する前記第１連結部材或いは前記第２連結部材に、前記充電発信ユニット或いは前記充電受信ユニットに対応する第２密着面を有する。前記第１連結部材と前記第２連結部材とが、前記挿入部が前記スロットに挿入するように連結され、且つ前記第１密着面が前記第２密着面に密接し、前記第１密着面と前記第２密着面との間から水を排除する。
【０００６】
他の実施例において、図３に示すように、前記充電発信ユニットは、電池、整流器、ＤＣ変圧器及び電磁波発信器を備え、且つ着脱可能な防水ケースで包装される。前記ケースが開かれ、前記電池を交換し、又は前記整流器及びＤＣ変圧器を介して電源を接続して前記電池を有線充電させることもできる。
【０００７】
他の実施例において、図４に示すように、前記充電発信ユニットは、電池、整流器、ＤＣ変圧器、防水連接器及び電磁波発信器を備え、且つ脱着不可能な防水ケースで包装され、前記整流器及びＤＣ変圧器を介して電源に接続させ、前記電池を充電してもよく、或いは水中環境で前記防水連接器を介して、外部電源と接続して前記電池を充電しても良い。前記充電発信ユニットは、前記電池と電気的に接続される電磁波受信機を更に備え、電磁波を受信し、電気的なエネルギーに変換して前記電池を無線充電させる。
【０００８】
他の実施例において、図６に示すように、前記第２連結部材が電気的な駆動による発熱可能な潜水服に設けられ、前記充電受信ユニットが前記潜水服と電気的に接続されて電力を供給する。
【０００９】
他の実施例において、図７に示すように、前記第２連結部材が電気的に駆動可能な水中探照灯に設けられ、前記充電受信ユニットが前記水中探照灯と電気的に接続されて電力を供給する。
【００１０】
他の実施例において、図８に示すように、前記第２連結部材が電気的に駆動可能な水中カメラに設けられ、前記充電受信ユニットが前記水中カメラと電気的に接続されて電力を供給する。
【００１１】
他の実施例において、図９に示すように、前記第２連結部材が電気的に駆動可能な水中推進器に設けられ、前記充電受信ユニットが前記水中推進器と電気的に接続されて電力を供給する。
【図面の簡単な説明】
【００１２】
【図１】図１は本考案に係る無線充電装置を示す図である。
【図２】図２は本考案に係る無線充電装置を使用する際の断面図である。
【図３】図３は本考案に係る充電発信ユニットの構成を示す図である。
【図４】図４は本考案に係る充電発信ユニットのもう一つの実施形態の構成を示す図である。
【図５】図５は本考案に係る第１充電受信ユニットの構成を示す図である。
【図６】図６は本考案が潜水服に使用される構成を示す図である。
【図７】図７は本考案が水中探照灯に使用される構成を示す図である。
【図８】図８は本考案が水中カメラに使用される構成を示す図である。
【図９】図９は本考案が水中推進器に使用される構成を示す図である。
【考案を実施するための形態】
【００１３】
図１及び図２は、本考案に係る排水可能な無線充電装置を示し、前記排水可能な無線充電装置は、第１連結部材１と第２連結部材２とを備え、そのうちの一方にスロット２１が設けられ、他方に挿入部１１が設けられ、且つ前記第１連結部材１は、前記挿入部１１が前記スロット２１に挿入されるように、前記第２連結部材２と連結される。本実施例において、前記第１連結部材１及び前記第２連結部材２は、互いに引っ掛かる係着部材であり、前記第１連結部材１には、前記挿入部１１が延設され、前記第２連結部材２には、前記スロット２１が凹設され、且つ前記第２連結部材２は、前記スロット２１に、外部へ連通する排水孔２２が設けられる。
【００１４】
また、前記第１連結部材１には、充電発信ユニット１２が設けられ、電気的なエネルギーを電磁波に変換して発信させる。本実施例において、前記挿入部１１に前記充電発信ユニット１２が設けられ、図３に示しように、第１の電池１２１、整流器１２４、ＤＣ変圧器１２５、電磁波発信器１２２及び着脱可能な防水ケース１２３を備える。前記電磁波発信器１２２は、前記第１の電池１２１から提供される電力を電磁波に変換して発信させることができる。前記第１の電池１２１の電力がなくなった場合、前記防水ケース１２３を取り外して交換してもよく、又は前記整流器１２４及びＤＣ変圧器１２５を電源に接続させて有線充電をしてもよい。前記挿入部１１には、前記充電発信ユニット１２に対応する第１密着面１３が設けられる。
【００１５】
本考案に係るもう他の実施例において、図４に示すように、前記防水ケース１２３を着脱することができず、前記第１の電池１２１が、交換不可となるように、前記防水ケース１２３に封止される。前記第１の電池１２１の電力がなくなった場合、前記整流器１２４及びＤＣ変圧器１２５を介して電源に接続させ、有線充電をすることに加えて、前記充電発信ユニット１２は電磁波受信機１２６を更に備え、前記第１の電池１２１と電気的に接続し、無線方式によって外部の電磁波を受信し、電気的なエネルギーに変換して前記第１の電池１２１を充電させ、前記充電発信ユニット１２が連続的に作動できるようにする。また、前記充電発信ユニット１２は防水連接器１２７を更に備え、水中環境で前記防水連接器１２７を介して外部電源と接続し、前記第１の電池１２１を充電する。
【００１６】
図１及び図２に示すように、前記第２連結部材２には充電受信ユニット２３が設けられ、図５に示すように、第２の電池２３１及び電磁波受信機２３２を備え、且つ防水ケース２３３で包装され、外部の電磁波を受信し、電気的なエネルギーに変換して保存する。前記スロット２１には、前記充電受信ユニット２３に対応する第２密着面２４が設けられる。前記第１連結部材１の挿入部１１は適切なサイズを有し、前記第２連結部材２のスロット２１に挿入する時に、前記第１密着面１３が前記第２密着面２４に密接できる。
【００１７】
本考案は水中環境で使われるため、前記第２連結部材２のスロット２１が水中に浸される。上記の構成によれば、前記第１連結部材１の挿入部１１が前記第２連結部材２のスロット２１に挿入して、両者が連結されると、前記挿入部１１が前記スロット２１に挿入され、前記スロット２１内にある水を前記排水孔２２から排出させることができる。そして、前記挿入部１１が前記スロット２１に挿入された後、前記第１密着面１３が前記第２密着面２４に密接し、前記第１密着面１３と前記第２密着面２４との間にある水を排出させる。これによって、前記充電発信ユニット１２と前記充電受信ユニット２３との間に水が残存せず、電磁波が伝播しやくなり、前記充電受信ユニット２３の充電効率を向上させることができる。
【００１８】
さらに、本考案は、各種の水中電子設備にも適用できる。図６に示すように、前記第２連結部材２が電気的な駆動による発熱可能な潜水服３に設けられても良い。前記充電受信ユニット２３が前記潜水服３と電気的に接続されて電力を供給する。前記充電受信ユニット２３における第２の電池からの電力がなくなり、前記潜水服３が連続的に発熱できない場合には、前記第１連結部材が、前記挿入部を介して前記第２連結部材２のスロットに挿入され、前記第２の電池が充電され、前記潜水服３が動作をし続けられる。
【００１９】
図７に示すように、前記第２連結部材２が電気的な駆動による発光可能な水中探照灯４に設けられても良い。前記充電受信ユニット２３が前記水中探照灯４と電気的に接続されて電力を供給する。前記充電受信ユニット２３における第２の電池からの電力がなくなり、前記水中探照灯４が連続的に発光できない場合には、前記第１連結部材が、前記挿入部を介して前記第２連結部材２のスロットに挿入され、前記第２の電池が充電され、前記水中探照灯４が動作をし続けられる。
【００２０】
図８に示すように、前記第２連結部材２が電気的に駆動可能な水中カメラ５に設けられても良い。前記充電受信ユニット２３が前記水中カメラ５と電気的に接続されて電力を供給する。前記充電受信ユニット２３における第２の電池からの電力がなくなり、前記水中カメラ５が連続的に駆動できない場合には、前記第１連結部材が、前記挿入部を介して前記第２連結部材２のスロットに挿入され、前記第２の電池が充電され、前記水中カメラ５が動作をし続けられる。
【００２１】
図９に示すように、前記第２連結部材２が電気的に駆動可能な水中推進器６に設けられても良い。前記充電受信ユニット２３が前記水中推進器６と電気的に接続されて電力を供給する。前記充電受信ユニット２３における第２の電池からの電力がなくなり、前記水中推進器６が連続的に駆動できない場合には、前記第１連結部材が、前記挿入部を介して前記第２連結部材２のスロットに挿入され、前記第２の電池が充電され、前記水中推進器６が動作をし続けられる。
【符号の説明】
【００２２】
１  第１連結部材
１１  挿入部
１２  充電発信ユニット
１２１  第１の電池
１２２  電磁波発信器
１２３  防水ケース
１２４  整流器
１２５  ＤＣ変圧器
１２６  電磁波受信機
１２７  防水連接器
１３  第１密着面
２  第２連結部材
２１  スロット
２２  排水孔
２３  充電受信ユニット
２３１  第２の電池
２３２  電磁波受信機
２３３  防水ケース
２４  第２密着面
３  潜水服
４  水中探照灯
５  水中カメラ
６  水中推進器
【図１】
0003214961.tif 000003
【図２】
0003214961.tif 000004
【図３】
0003214961.tif 000005
【図４】
0003214961.tif 000006
【図５】
0003214961.tif 000007
【図６】
0003214961.tif 000008
【図７】
0003214961.tif 000009
【図８】
0003214961.tif 000010
【図９】
0003214961.tif 000011